(57)【要約】【課題】外部記憶媒体が取り外されることを抑制可能な電子機器を提供すること。【解決手段】着脱可能な外部記憶媒体に記憶されるコンテンツデータを表示可能な電子機器であって、コンテンツデータ表示中に外部記憶媒体が取り外されると警告音を出力するとともに、コンテンツデータ表示中に電子機器への電力供給の遮断要求を受け付けた場合、電力供給の遮断を許可することなく、表示部に認証情報の入力を求める指示画面を表示するものである。【選択図】図２
2010239199.tif 000002
【特許請求の範囲】
【請求項１】
コンテンツデータを記憶可能な外部記憶媒体を着脱可能なメモリインタフェースと、コンテンツデータを表示可能な表示部と、音声を出力する音声出力部と、を備えた電子機器であって、
前記電子機器への電力供給の遮断に係る遮断要求を受け付ける受付手段と、
コンテンツデータとともに、認証情報が当該コンテンツデータに関連付けて前記外部記憶媒体に記憶されているか否かを判断する判断手段と、
前記外部記憶媒体に記憶されたコンテンツデータを前記表示部に表示するコンテンツデータ表示手段と、
前記コンテンツデータが表示されている間、前記外部記憶媒体が前記メモリインタフェースに装着されているか否かを監視する監視手段と、
前記判断手段により前記認証情報が前記コンテンツデータと関連付けて記憶されていると判断されたことを条件として、前記監視手段により前記外部記憶媒体が前記メモリインタフェースに装着されていないことが検出された場合、警告音を前記音声出力部に出力させる第１音声出力手段と、
前記コンテンツデータが表示されている状態で前記遮断要求を受け付けた場合、電力供給の遮断を許可することなく、前記表示部に、前記認証情報の入力を求める指示画面を表示する指示画面表示手段と、
を備えることを特徴とする電子機器。
【請求項２】
前記コンテンツデータが表示されている状態で前記遮断要求を受け付けた場合、前記判断手段により前記認証情報が前記コンテンツデータと関連付けて記憶されていないと判断されたことを条件として、前記電子機器への電力供給の遮断を許可する第１電源管理手段を備えることを特徴とする請求項１に記載の電子機器。
【請求項３】
前記判断手段により前記認証情報が前記コンテンツデータと関連付けて記憶されていると判断され、前記コンテンツデータが表示されている状態で前記遮断要求を受け付けた場合、前記指示画面に基づき入力された情報と、前記外部記憶媒体に記憶されている前記認証情報とが一致することを条件として、前記電子機器への電力供給の遮断を許可する第２電源管理手段を備えることを特徴とする請求項１または請求項２に記載の電子機器。
【請求項４】
前記判断手段により前記認証情報が前記コンテンツデータと関連付けて記憶されていると判断され、前記コンテンツデータが表示されている状態で前記遮断要求を受け付けた場合、前記指示画面に基づき入力された情報と、前記外部記憶媒体に記憶されている前記認証情報とが一致しないことを条件として、警告音を前記音声出力部に出力させる第２音声出力手段を備えることを特徴とする請求項１乃至請求項３のいずれかに記載の電子機器。
【請求項５】
前記判断手段により前記認証情報が前記コンテンツデータと関連付けて記憶されていると判断され、前記指示画面に基づき入力された情報と、前記外部記憶媒体に記憶されている前記認証情報とが一致することを条件として、前記監視手段により前記外部記憶媒体が前記メモリインタフェースに取り付けられていないことが検出され場合、前記警告音を前記音声出力部に出力させないように前記第１音声出力手段を制御する音声制御手段を備えることを特徴とする請求項１乃至請求項４のいずれかに記載の電子機器。
【請求項６】
前記警告音の出力音量を前記警告音以外の音声の出力音量よりも大きく変更して、前記警告音を出力するよう前記音声出力部を制御する音量変更手段を備えることを特徴とする請求項１乃至請求項５のいずれかに記載の電子機器。
【請求項７】
コンテンツデータを記憶可能な外部記憶媒体を着脱可能なメモリインタフェースと、コンテンツデータを表示可能な表示部と、音声を出力する音声出力部と、を備えた電子機器における制御方法あって、
前記電子機器への電力供給の遮断に係る遮断要求を受け付ける受付ステップと、
コンテンツデータとともに、認証情報が当該コンテンツデータに関連付けて前記外部記憶媒体に記憶されているか否かを判断する判断ステップと、
前記外部記憶媒体に記憶されたコンテンツデータを前記表示部に表示するコンテンツデータ表示ステップと、
前記コンテンツデータが表示されている間、前記外部記憶媒体が前記メモリインタフェースに装着されているか否かを監視する監視ステップと、
前記判断ステップにより前記認証情報が前記コンテンツデータと関連付けて記憶されていると判断されたことを条件として、前記監視ステップにより前記外部記憶媒体が前記メモリインタフェースに装着されていないことが検出された場合、警告音を前記音声出力部に出力させる第１音声出力ステップと、
前記コンテンツデータが表示されている状態で前記遮断要求を受け付けた場合、電力供給の遮断を許可することなく、前記表示部に、前記認証情報の入力を求める指示画面を表示する指示画面表示ステップと、
を備えることを特徴とする制御方法。
【発明の詳細な説明】
【技術分野】
【０００１】
本発明は、着脱可能な外部記憶媒体に記憶されたコンテンツデータを表示する電子機器であり、特に、外部記憶媒体が取り外されることを抑制可能な技術に関する。
【背景技術】
【０００２】
以前より、印刷装置やファクシミリ装置などの電子機器は、店頭で陳列販売されるとき、販売促進用に機器の表示部にデモデータを表示している。例えば、下記特許文献１には、メモリカード（外部記憶媒体）に記憶されたデモ表示指示ファイルに従ってデモを表示し、デモ表示中に電源スイッチの操作を受け付ける印刷装置が記載されている。
【０００３】
また、下記特許文献２には、データが記録された記録媒体が装置から抜き取られると警告音を出力する光ディスク装置が記載されている。
【先行技術文献】
【特許文献】
【０００４】
【特許文献１】特開２００７−１７６１０４号公報
【特許文献２】特開２００８−１５９１６６号公報
【発明の概要】
【発明が解決しようとする課題】
【０００５】
上記のように店頭で陳列されている際に、心無い第三者により外部記憶媒体が取り外され、持ち去られることがあった。つまり、デモデータ表示中に電源スイッチが操作されることで電子機器の電源がオフされ、警告音が鳴らないようにした上で、外部記憶媒体が取り外され、持ち去られることがあった。
【０００６】
本発明は、外部記憶媒体を取り外せなくするような機械的な手段を採用することなく、外部記憶媒体が取り外されることを抑制可能な電子機器を提供する。
【課題を解決するための手段】
【０００７】
本発明に係る電子機器は、コンテンツデータを記憶可能な外部記憶媒体を着脱可能なメモリインタフェースと、コンテンツデータを表示可能な表示部と、音声を出力する音声出力部と、を備えた電子機器であって、前記電子機器への電力供給の遮断に係る遮断要求を受け付ける受付手段と、コンテンツデータとともに、認証情報が当該コンテンツデータに関連付けて前記外部記憶媒体に記憶されているか否かを判断する判断手段と、前記外部記憶媒体に記憶されたコンテンツデータを前記表示部に表示するコンテンツデータ表示手段と、前記コンテンツデータが表示されている間、前記外部記憶媒体が前記メモリインタフェースに装着されているか否かを監視する監視手段と、前記判断手段により前記認証情報が前記コンテンツデータと関連付けて記憶されていると判断されたことを条件として、前記監視手段により前記外部記憶媒体が前記メモリインタフェースに装着されていないことが検出された場合、警告音を前記音声出力部に出力させる第１音声出力手段と、前記コンテンツデータが表示されている状態で前記遮断要求を受け付けた場合、電力供給の遮断を許可することなく、前記表示部に、前記認証情報の入力を求める指示画面を表示する指示画面表示手段と、を備える。
【０００８】
これにより、認証情報が関連付けられたコンテンツデータの表示中に、外部記憶媒体が取り外された場合には、警告音を出力するとともに、電子機器への電力供給の遮断に係る遮断要求を受け付けた場合には、電力供給の遮断を許可することなく、認証情報の入力を求める指示画面を表示することができる。
【０００９】
よって、コンテンツデータ表示中に電力供給が遮断されてしまうことを防止し、警告音を出力しないようにして外部メモリが取り外されてしまうことを抑制することができる。また、警告音の出力により、電子機器の管理者に通知することができるとともに、取り外した第三者に対して、その警告音により外部記憶媒体を取り外してはいけないことを察知させることができ、取り外された外部記憶媒体がメモリインタフェースに戻されることを期待できる。
【００１０】
なお、遮断要求とは、例えば、電源キーの押下により入力される電力供給遮断の指令を含むことはもちろんのこと、電力供給遮断の前に、電源キー以外の所定のキーの操作が必要なものであれば、その所定のキーが操作されることにより入力される指令をも含む概念である。また、認証情報は、パスワードなどの文字列による認証であってもよいし、キーの所定時間の押下操作に係るもの、複数キーの所定順での押下操作に係るもの、電子機器を管理する者の指紋情報やＩＤカードなどの固有情報であってもよい。
【００１１】
さらに、電子機器は、前記コンテンツデータが表示されている状態で前記遮断要求を受け付けた場合、前記判断手段により前記認証情報が前記コンテンツデータと関連付けて記憶されていないと判断されたことを条件として、前記電子機器への電力供給の遮断を許可する第１電源管理手段を備えるとよい。
【００１２】
これにより、認証情報がコンテンツデータと関連付けて記憶されていない場合は、コンテンツデータ表示中でも電力供給の遮断を許可することができる。よって、外部記憶媒体に記憶された情報に応じて電源管理ができるため、例えば店頭で陳列販売される際のデモとしてのコンテンツデータの表示処理と、ユーザによる当電子機器購入後のコンテンツデータ表示処理とを好適に切り分けて電源管理することができる。
【００１３】
さらに、電子機器は、前記判断手段により前記認証情報が前記コンテンツデータと関連付けて記憶されていると判断され、前記コンテンツデータが表示されている状態で前記遮断要求を受け付けた場合、前記指示画面に基づき入力された情報と、前記外部記憶媒体に記憶されている前記認証情報とが一致することを条件として、前記電子機器への電力供給の遮断を許可する第２電源管理手段を備えるとよい。
【００１４】
これにより、指示画面に基づいて入力された情報と外部記憶媒体に記憶されている認証情報とが一致した場合、電力供給の遮断を許可することができる。よって、認証情報を知っている者のみが、コンテンツデータ表示中でも電源供給を遮断させることができ、認証情報を知らない第三者は、電力供給を遮断させることはできないので、警告音が出力されないようにした上での外部記憶媒体の取り外しを抑制することが可能となる。
【００１５】
さらに、電子機器は、前記判断手段により前記認証情報が前記コンテンツデータと関連付けて記憶されていると判断され、前記コンテンツデータが表示されている状態で前記遮断要求を受け付けた場合、前記指示画面に基づき入力された情報と、前記外部記憶媒体に記憶されている前記認証情報とが一致しないことを条件として、警告音を前記音声出力部に出力させる第２音声出力手段を備えるとよい。
【００１６】
これにより、指示画面に基づいて入力された情報と外部記憶媒体に記憶されている認証情報とが一致しない場合に、警告音を出力することができる。よって、認証情報を知らない第三者により、認証情報を予測して適当な情報が入力されることを抑制することができる。
【００１７】
さらに、電子機器は、前記判断手段により前記認証情報が前記コンテンツデータと関連付けて記憶されていると判断され、前記指示画面に基づき入力された情報と、前記外部記憶媒体に記憶されている前記認証情報とが一致することを条件として、前記監視手段により前記外部記憶媒体が前記メモリインタフェースに取り付けられていないことが検出され場合、前記警告音を前記音声出力部に出力させないように前記第１音声出力手段を制御する音声制御手段を備えるとよい。
【００１８】
これにより、指示画面に基づいて入力された情報と外部記憶媒体に記憶されている認証情報とが一致した場合、外部記憶媒体が取り外されても、警告音を出力しないように制御できる。よって、認証情報を知っている者のみが、コンテンツデータ表示中でも警告音を出力させることなく外部記憶媒体を取り外すことができ、認証情報を知らない第三者による外部記憶媒体の取り外しに対しては警告音を出力することで、外部記憶媒体の取り外しを抑制できる。
【００１９】
さらに、電子機器は、前記警告音の出力音量を前記警告音以外の音声の出力音量よりも大きく変更して、前記警告音を出力するよう前記音声出力部を制御する音量変更手段を備えるとよい。
【００２０】
これにより、出力音量を大きくして警告音を出力させることができる。よって、電子機器の管理者は警告音に気づき易くなる。
【００２１】
また、本発明に係る電子機器における制御方法は、コンテンツデータを記憶可能な外部記憶媒体を着脱可能なメモリインタフェースと、コンテンツデータを表示可能な表示部と、音声を出力する音声出力部と、を備えた電子機器における制御方法あって、前記電子機器への電力供給の遮断に係る遮断要求を受け付ける受付ステップと、コンテンツデータとともに、認証情報が当該コンテンツデータに関連付けて前記外部記憶媒体に記憶されているか否かを判断する判断ステップと、前記外部記憶媒体に記憶されたコンテンツデータを前記表示部に表示するコンテンツデータ表示ステップと、前記コンテンツデータが表示されている間、前記外部記憶媒体が前記メモリインタフェースに装着されているか否かを監視する監視ステップと、前記判断ステップにより前記認証情報が前記コンテンツデータと関連付けて記憶されていると判断されたことを条件として、前記監視ステップにより前記外部記憶媒体が前記メモリインタフェースに装着されていないことが検出された場合、警告音を前記音声出力部に出力させる第１音声出力ステップと、前記コンテンツデータが表示されている状態で前記遮断要求を受け付けた場合、電力供給の遮断を許可することなく、前記表示部に、前記認証情報の入力を求める指示画面を表示する指示画面表示ステップと、を備える。
【００２２】
これにより、請求項１と同様の作用、効果が得られる。
【図面の簡単な説明】
【００２３】
【図１】複合機および外部メモリの構成図である。
【図２】複合機により実行されるメイン処理を示したフローチャートである。
【発明を実施するための形態】
【００２４】
以下、図面を参照して本実施形態を説明する。図１は、本実施形態の複合機１０の概略を示した図である。
【００２５】
複合機１０は、ＣＰＵ、ＲＯＭ、ＲＡＭ等（図示せず。）を備え、複合機１０の各動作について、このＲＯＭに記憶されたプログラムに基づき制御を行う制御部１１と、各種情報を記憶する記憶部１２と、印刷処理を行う印刷部１３と、複合機１０のユーザから指示を受け付ける操作部１４と、図示しないネットワーク回線に接続され他の装置と通信を行うネットワークインタフェース（ネットワークＩ／Ｆ）１５と、各種情報を表示する表示部１６と、スピーカなどにより構成される音声出力部１７と、ＵＳＢメモリなどの記憶媒体である外部メモリ２０を着脱可能なメモリインタフェース（メモリＩ／Ｆ）１８と、図示しない電力線に接続され、複合機１０に電力を供給する電源ユニット１９と、を備えている。なお、制御部１１と各部１２〜１９とは、バスラインを介して互いに接続され、各部１２〜１９は制御部１１により制御されている。
【００２６】
メモリＩ／Ｆ１８は、外部メモリ検出部１８２を備え、外部メモリ２０がメモリＩ／Ｆ１８に装着されているか否かを検出可能である。制御部１１は、その検出結果を参照することで、メモリＩ／Ｆ１８に外部メモリ２０が装着されているか否かを認識する。
【００２７】
メモリＩ／Ｆ１８に外部メモリ２０が装着されると、制御部１１は、外部メモリ２０内に記憶されているコンテンツデータ２０１を読み出し、そのコンテンツデータ２０１の表示部１６への表示指示、印刷部１３への印刷出力指示、音声出力部１７への音声出力指示などを行う。
【００２８】
操作部１４は、電源キー１４２を備え、電源キー１４２の押下により複合機１０の電源のオンとオフとを切り替えることができる。すなわち、電源ユニット１９から複合機１０への電力供給を、受け付けるか遮断するかを切り替えることができる。
【００２９】
音声出力部１７は、制御部１１からの制御により、出力する音の音量を大きくしたり小さくしたりすることが可能である。
【００３０】
外部メモリ２０は、記憶媒体であり、コンテンツデータ２０１と指示データ２０２を記憶している。さらに、指示データ２０２は、複数の文字列から構成される認証情報としてのパスワード２０３を含むことができる。なお、コンテンツデータ２０１は、例えば、画像データや映像データなどである。
【００３１】
指示データ２０２は、外部メモリ２０がメモリＩ／Ｆ１８に装着された際、制御部１１により優先的に読み取られるように構成され、外部メモリ２０に一緒に記憶されているコンテンツデータ２０１の表示指示が記載されたデータである。制御部１１は、指示データ２０２を読み取ると、指示データ２０２に記載された表示指示に従い、コンテンツデータ２０１を表示部１６に表示する。
【００３２】
上述のように、指示データ２０２は、コンテンツデータ２０１とパスワード２０３とに関連性を有している。つまり、コンテンツデータ２０１とパスワード２０３は指示データ２０２を介して互いに関連性を有しているとも言える。
【００３３】
次に、図２を参照して、複合機１０の制御部１１によって実行される処理について説明する。図２は、複合機１０の制御部１１によって、ＲＯＭに記憶されたプログラムに基づき実行される複合機メイン処理を示したフローチャートである。この複合機メイン処理は、電源キー１４２が押下されることによる複合機１０の電源がオンされることにより開始される。
【００３４】
複合機１０の電源がオンされると、制御部１１は、メモリＩ／Ｆ１８に外部メモリ２０が装着されているか否かを判断し（Ｓ２０５）、装着されていなければ（Ｓ２０５：ＮＯ）、複合機１０は通常処理を行う（Ｓ２１０）。ここでの通常処理とは、例えば、印刷部１３による印刷処理などである。
【００３５】
制御部１１は、メモリＩ／Ｆ１８に外部メモリ２０が装着されたと判断すると（Ｓ２０５：ＹＥＳ）、外部メモリ２０に記憶されている指示データ２０２を読み取り、その指示データ２０２に記載された表示指示により表示の対象とされているコンテンツデータ２０１が、外部メモリ２０に記憶されているか否かを判断する（Ｓ２１３）。
【００３６】
ここで、コンテンツデータ２０１が記憶されていないと判断した場合（Ｓ２１３：ＮＯ）、制御部１１は、通常処理を行う（Ｓ２１０）。ここでの通常処理とは、例えば、外部メモリ２０から何らかのデータを取得する処理や、外部メモリ２０に何らかのデータを記憶させる処理などである。
【００３７】
制御部１１は、外部メモリ２０にコンテンツデータ２０１が記憶されていると判断すると（Ｓ２１３：ＹＥＳ）、指示データ２０２にパスワード２０３が含まれているか否かを判断する（Ｓ２１５）。
【００３８】
そして、指示データ２０２にパスワード２０３が含まれていないと判断された場合（Ｓ２１５：ＮＯ）、制御部１１は、通常処理を行う（Ｓ２１０）。ここでの通常処理とは、例えば、外部メモリ２０に記憶されたパスワード２０３を含まない指示データ２０２に従い、コンテンツデータ２０１を表示部１６に表示させる処理や、パスワード２０３を含まない指示データ２０２に従ったコンテンツデータ２０１の表示中に、電源キー１４２が押下されることによる電源ユニット１９からの電力供給遮断を許可する処理（電源オフ）などである。
【００３９】
一方、指示データ２０２にパスワード２０３が含まれていると判断した場合（Ｓ２１５：ＹＥＳ）、ＲＡＭにフラグを立てる（Ｓ２２０）。このフラグは、パスワード２０３を含む指示データ２０２が記憶された外部メモリ２０が、メモリＩ／Ｆ１８に装着されていることを示すものである。
【００４０】
続いて、制御部１１は、外部メモリ２０からコンテンツデータ２０１を読み出し、表示部１６に表示する（Ｓ２２５）。
【００４１】
制御部１１は、コンテンツデータ２０１の表示中に、電源キー１４２がユーザにより押下されたか否か監視しており（Ｓ２３０）、電源キー１４２の押下が検出されていない間は（Ｓ２３０：ＮＯ）、メモリＩ／Ｆ１８に外部メモリ２０が装着されているか否かを常時監視している（Ｓ２３５）。なお、電源キー１４２が押下されると、電源キー１４２が押下されたことを示す信号が制御部１１に伝えられ、制御部１１は、電源キー１４２が押下されたことを検出できる。
【００４２】
そして、外部メモリ２０がメモリＩ／Ｆ１８に装着されていれば（Ｓ２３５：ＹＥＳ）、Ｓ２３０に処理を戻し、電源キー１４２の押下の監視を続ける。ここで、外部メモリ２０がメモリＩ／Ｆ１８に装着されていないことが検出された場合（Ｓ２３５：ＮＯ）、すなわち、外部メモリ２０がメモリＩ／Ｆ１８から取り外された場合、制御部１１は、ＲＡＭにフラグが立っているか否かを判断する（Ｓ２４０）。制御部１１は、フラグが立っていないと判断すると（Ｓ２４０：ＮＯ）、Ｓ２０５に処理を移行する。
【００４３】
一方、ＲＡＭにフラグが立っていると判断すると（Ｓ２４０：ＹＥＳ）、制御部１１は、表示部１６に、取り外された外部メモリ２０の装着を促す旨の警告表示を行うとともに（Ｓ２４５）、音声出力部１７の出力音量を大きくする（Ｓ２５０）。なお、警告表示の一例として、「取り外した外部メモリを再度装着してください」などの表示がある。
【００４４】
また、出力音量は、警告音以外の音声に設定されている出力音量よりも大きく変更されればよいが、特に、本実施形態では、音声出力部１７が出力可能な出力音量のうち最大音量に変更する場合について説明する。
【００４５】
次いで、制御部１１は、音声出力部１７に警告音の出力を開始させる（Ｓ２５５）。この警告音は、記憶部１２に記憶された警告音データに基づき出力される。
【００４６】
そして、制御部１１は、メモリＩ／Ｆ１８に、取り外された外部メモリ２０が装着されたか否かを監視し続け（Ｓ２６０：ＮＯ）、外部メモリ２０がメモリＩ／Ｆ１８に装着されたことが検出されると（Ｓ２６０：ＹＥＳ）、音声出力部１７に警告音の出力を停止させる（Ｓ２６５）。
【００４７】
続いて、制御部１１は、Ｓ２５０で最大に変更した出力音量を変更前の音量に戻し（Ｓ２６７）、処理をＳ２０５に移す。
【００４８】
また、外部メモリ２０に記憶されたコンテンツデータ２０１の表示中に、電源キー１４２が押下されたことを検出すると（Ｓ２３０：ＹＥＳ）、制御部１１は、ＲＡＭにフラグが立っているか否かを判断する（Ｓ２７０）。
【００４９】
制御部１１は、ＲＡＭにフラグが立っていると判断すると（Ｓ２７０：ＹＥＳ）、ユーザにパスワードの入力を促すパスワード入力画面を表示部１６に表示し（Ｓ２７５）、ユーザによる操作部１２からのパスワード入力を受け付ける。
【００５０】
制御部１１は、入力されたパスワードが正しいパスワードか否か、換言すれば、入力されたパスワードが、外部メモリ２０が記憶する指示データ２０２に含まれるパスワード２０３と一致するか否かを判断する（Ｓ２８０）。
【００５１】
ここで、制御部１１は、入力されたパスワードが正しいパスワードであると判断すると（Ｓ２８０：ＹＥＳ）、ＲＡＭに立っているフラグを下ろし（Ｓ２８２）、処理をＳ２３０に戻す。一方、正しいパスワードではないと判断すると（Ｓ２８０：ＮＯ）、パスワード入力画面への誤ったパスワードの入力が続けて所定回数繰り返されたか否かを判断する（Ｓ２８４）。
【００５２】
ここで、誤ったパスワードの入力が所定回数繰り返されていないと判断すると（Ｓ２８４：ＮＯ）、制御部１１は、処理をＳ２３０移行させる。一方、誤ったパスワードの入力が所定回数繰り返されたと判断すると（Ｓ２８４：ＹＥＳ）、ユーザに正しいパスワードを確認させる旨の警告表示を、表示部１６に表示させる（Ｓ２８６）。警告表示の一例として、「複合機の管理者に正しいパスワードを問い合わせてください」などの表示がある。
【００５３】
制御部１１は、警告表示とともに、所定時間、警告音を音声出力部１７に出力させた後（Ｓ２８８）、処理をＳ２３０に移行する。
【００５４】
また、制御部１１は、Ｓ２７０の処理で、ＲＡＭにフラグが立っていないと判断すると（Ｓ２７０：ＮＯ）、シャットダウン処理を行い（Ｓ２９０）、本複合機メイン処理を終了する。つまり、電源キー１４２が押下され、正しいパスワードが入力されていた場合には、制御部１１は、シャットダウン処理を実行することを許可する。なお、シャットダウン処理は、表示していたコンテンツデータ２０１の表示を終了し、電源ユニット１９からの電力供給を遮断する処理（電源オフ）を行うものであり、周知の複合機と同じ処理であるため、詳細な説明は省略する。
【００５５】
本実施形態に係る発明の効果を以下に説明する。
【００５６】
本実施形態に係る複合機１０は、コンテンツデータ２０１の表示中に電源キー１４２が押下された場合でも、指示データ２０２に含まれるパスワード２０３が入力されていない状態であれば、電源をオフすることなくパスワード入力画面を表示することができる。これにより、警告音が出力されないように複合機１０の電源をオフした上で、外部メモリ２０が取り外されることを抑制することができる。
【００５７】
一方で、指示データ２０２にパスワード２０３が含まれていない場合には、電源キー１４２が押下されることで複合機１０の電源をオフすることができる。コンテンツデータ２０１にパスワード２０３が含まれているか否かで、電源オフの制御を好適に切り分けることができる。
【００５８】
また、パスワード入力画面に入力されたパスワードと指示データ２０２に含まれたパスワード２０３とが一致した場合には、コンテンツデータ２０１の表示中でも電源をオフすることができ、パスワードを知らない第三者による電源オフを禁止し、警告音が出力されないようにした上で外部メモリが取り外されることを抑制することが可能となる。
【００５９】
さらに、パスワードの入力を所定回数誤ると、警告音を出力することができる。外部メモリ２０の取り外しを試みる者が、しらみつぶしにパスワードを入力することにより正しいパスワードが入力されてしまうことを抑制することができる。
【００６０】
また、正しいパスワードが入力されずに外部メモリ２０が取り外された場合には、警告音を出力して複合機１０の管理者に通知することができるとともに、正しいパスワードが入力された場合には、外部メモリ２０を取り外しても警告音の出力は行わない。よって、パスワードを知らない第三者による外部メモリ２０の取り外しを抑制することができる。
【００６１】
また、出力される警告音は、音声出力部が出力可能な最大の音量で出力されるため、複合機１０の管理者は警告音に気づき易くなるとともに、外部メモリ２０を取り外した者は、その警告音に驚き、外部メモリ２０がメモリＩ／Ｆ１８に戻すことが考えられる。よって、外部メモリ２０が取り外され、持ち去られてしまうことを抑制することが可能となる。
【００６２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００６３】
本実施形態における電源ユニット１９からの電力供給の遮断は、完全なる遮断でもよいが、例えば印刷部１３がインクジェットプリンタ機構で構成されていた場合には、インク詰まりを防止する措置などを実行する程度に電力供給はなされていてもよい。
【００６４】
また、上記実施形態では、コンテンツデータ２０１の表示を指示する指示データ２０２にパスワード２０３が含まれる構成を説明したが、これに限定されることはなく、コンテンツデータ２０１とパスワード２０３が関連付けて外部メモリ２０に記憶されていればよい。そして、コンテンツデータ２０１表示中に入力されるパスワードと外部メディア２０に記憶されたパスワード２０３との一致が検出できればよい。
【００６５】
さらに、上記実施形態では、認証情報として複数の文字列から構成されるパスワード２０３を用いたが、パスワード２０３に代えて所定の操作を認証情報として用いてもよい。例えば、特定のキーの押下や所定時間のキー押下、複数のキーの同時押下、複数キーの所定の順での押下、指紋情報の入力、ＩＤカードなどの固有情報の入力などである。これら所定の操作を認証情報として用いる場合には、コンテンツデータ２０１と上記所定の操作を示す情報を関連付けて外部メモリ２０に記憶しておき、Ｓ２１５において、「所定の操作を示す情報あり？」とし、Ｓ２７５において、「所定の操作入力画面表示」とし、さらに、Ｓ２８０において、「正しい所定の操作が行われたか？」とするとよい。
【００６６】
また、上記実施形態では、Ｓ２３０において、コンテンツデータ２０１が表示されている間に電源キー１４２の押下を監視しているが、外部メモリ２０にコンテンツデータ２０１が複数記憶されていた場合には、表示されるコンテンツデータ２０１間のギャップにおいても、当然電源キー１４２の押下を監視すればよい。
【００６７】
また、Ｓ２６０において、警告音出力中に、取り外された外部メモリ２０が装着されたかを判断しているが、Ｓ２０５において外部メモリが装着された際に、外部メモリ２０から固有の識別情報を取得しておき、Ｓ２６０でその識別情報を備えた外部メモリ２０が装着されたかを判断するとよい。抜き取られた外部メモリ２０とは異なる外部メモリ２０が装着されることで警告音の出力を停止してしまうことを防止できる。
【００６８】
また、本実施形態では、パスワード入力画面は、電源キー１４２の押下によって表示される構成とされていたが、複合機１０の電源をオフするために何かしらの処理（例えばパスワード入力）が必要な構成の場合には、その何かしらの処理を行うための操作部１４の操作が行われたことに基づいてパスワード入力画面を表示してもよい。
【００６９】
なお、複合機１０は電子機器の一例、外部メモリ２０は外部記憶媒体の一例、パスワード２０３（上記「所定の操作」）は認証情報の一例、電源キー１４２の押下により制御部１１に伝えられる信号は遮断要求の一例、パスワード入力画面（上記「所定の操作入力画面」）は指示画面の一例である。
【００７０】
また、Ｓ２３０を実行する制御部１１は受付手段の一例である。Ｓ２１５を実行する制御部１１は判断手段の一例である。Ｓ２２５を実行する制御部１１はコンテンツデータ表示手段の一例である。Ｓ２３５を実行する制御部１１は監視手段の一例である。Ｓ２５５を実行する制御部１１は第１音声出力手段の一例である。Ｓ２７５を実行する制御部１１は指示画面表示手段の一例である。Ｓ２１０を実行する制御部１１は第１電源管理手段の一例である。Ｓ２９０を実行する制御部１１は第２電源管理手段の一例である。Ｓ２８８を実行する制御部１１は第２音声出力手段の一例である。Ｓ２４０でＮＯと判断する制御部１１は音声制御手段の一例である。Ｓ２５０を実行する制御部１１は音量変更手段の一例である。
【符号の説明】
【００７１】
１０    複合機
２０    外部メモリ
２０１  コンテンツデータ
２０２  指示データ
２０３  パスワード
【図１】
2010239199.tif 000003
【図２】
2010239199.tif 000004